(57)【特許請求の範囲】
【請求項１】
上半部が略扇形状をなし下半部が棒状をなすものであって、下半部に遊技盤の盤面に密接させられる遊技盤側当接面を有すると共に略扇形状をなす上半部の上端面が棒状の下半部に比べて幅の大きな円弧状面である固定部材と、
細長形状をなすものであって、下端部が前記固定部材の下半部の下端部に回動可能に軸支されていると共に側辺部に前記遊技盤に突設された釘の軸部に密接させられる釘側当接面を有する可動部材と、
前記可動部材の釘側当接面に設けられたものであって、前記釘の頭部が嵌合する凹部と、
前記固定部材の円弧状面に設けられたものであって、前記可動部材の釘側当接面と前記固定部材の遊技盤側当接面との間の角度を示す複数の目盛りと、
前記可動部材に設けられたものであって、前記複数の目盛りを読み取るための目盛り読取線を備え、
前記可動部材は、前記可動部材を回動操作するためのものであって前記固定部材の円弧状面より上方へ突出するレバー部を有していることを特徴とするパチンコ機の釘角度測定治具。
【発明の詳細な説明】
【０００１】
【発明の属する技術分野】
本発明はパチンコ機の遊技盤の盤面と、この盤面に突設された釘との間の角度を測定するパチンコ機の釘角度測定治具に関する。
【０００２】
【発明が解決しようとする課題】
パチンコ機の遊技盤の遊技部に相当する盤面には多数の釘が配設されている。これら多数の釘には、比較的密に配設されて遊技球の進路を定めるものと、遊技球が通過可能な間隔で各種入賞装置の上方に配置されたものとがある。後者の釘は盤面に対して様々な方向に、様々な角度で突設されており、この角度により前記入賞装置への入り易さが左右されることになる。今回、パチンコ機を製造販売する際に、入賞装置の上方に配置された釘のうち、所定位置に配置された釘の角度を正確に測定（最小単位を１度とする）するように要請があった。
【０００３】
しかしながら、前記釘は、遊技球が通過可能な間隔という比較的狭い間隔で盤面に突設されているため、一般的に角度を測定するために用いられている器具を使用することができない。一方、実公平３−５６４８４号公報に開示された遊技機用調整ドライバにより、遊技盤面に突設された釘の角度を測定することが考えられる。しかし、このドライバは水準器が付設されていて、該水準器内の気泡により釘の角度を測定するものであるため、釘の角度の垂直成分しか測定することが出来ず、垂直方向以外の角度を測定できなかった。また、水準器は、該水準器内の気泡により角度を教示するため精度が悪かった。
【０００４】
本発明は上記事情に鑑みてなされたもので、その目的は、遊技盤の盤面に突設された釘の角度を正確に測定することができるパチンコ機の釘角度測定治具を提供するにある。
【０００５】
【課題を解決するための手段】
本発明のパチンコ機の釘角度測定治具は、上半部が略扇形状をなし下半部が棒状をなすものであって下半部に遊技盤の盤面に密接させられる遊技盤側当接面を有すると共に略扇形状をなす上半部の上端面が棒状の下半部に比べて幅の大きな円弧状面である固定部材と、細長形状をなすものであって下端部が前記固定部材の下半部の下端部に回動可能に軸支されていると共に側辺部に前記遊技盤に突設された釘の軸部に密接させられる釘側当接面を有する可動部材と、前記可動部材の釘側当接面に設けられたものであって前記釘の頭部が嵌合する凹部と、前記固定部材の円弧状面に設けられたものであって前記可動部材の釘側当接面と前記固定部材の遊技盤側当接面との間の角度を示す複数の目盛りと、前記可動部材に設けられたものであって前記複数の目盛りを読み取るための目盛り読取線を備え、前記可動部材が前記可動部材を回動操作するためのものであって前記固定部材の円弧状面より上方へ突出するレバー部を有しているところに特徴を有する。
【０００８】
【発明の実施の形態】
以下、本発明の第１実施例を図１および図２を参照して説明する。これら両図に示すように、釘角度測定治具は固定部材１と、この固定部材１に、一端部たる下端部において軸２を介して軸支された可動部材３とから構成されている。
【０００９】
固定部材１は、上半部は略扇形状を成し下半部が棒状を成す一対の板状部材４，４を対向配置して構成されており、これら板状部材４の一端部たる下端部に形成された軸孔４ａに前記軸２が挿通されていると共に、前記可動部材３が両板状部材４，４間に回動可能に配置されている。そして、上記一対の板状部材４，４は、図１中左端部で連結部５により連結されている。この連結部５は、一対の板状部材４，４間を一定の間隔に保持すると共に、前記可動部材３の矢印Ａ方向の移動を規制するようになっている。尚、この場合、連結部５は図１に示すように上側連結部５ａと下側連結部５ｂとから構成されている。また、板状部材４，４と連結部５は一体成形であっても良い。
【００１０】
一方、各板状部材４の下端部には、左右両側に、それぞれ外側に向かって延びる一対の脚部６，６が設けられている。而して、板状部材４、連結部５および脚部６の下面である固定部材１の下端部の端面がパチンコ機の遊技盤の盤面Ｐ（図１にのみ示す）に密接する遊技盤側当接面７となっている。また、各板状部材４の上端部には、前記軸孔４ａを中心とした円弧状面４ｂが形成されており、この円弧状面４ｂに目盛り８が設けられている。この目盛り８は２度置きに多数個形成されていると共に、一方の板状部材４の目盛り８が他方の板状部材４の隣接する目盛り８の中心に位置するように互い違いに設けられている。
【００１１】
これに対して、可動部材３は、細長形状をなし、前記一対の板状部材４，４間に位置する可動部材本体９と、円弧状面４ｂより上方に突出するレバー部１０とから構成されている。そして、可動部材本体９の図示右側に位置する側辺部１１のうち下端部には遊技盤Ｐに突設された釘１２（図１にのみ示す）の軸部１２ａが密接される釘側当接面１１ａが設けられている。この釘側当接面１１ａの上端部には、凹部１１ｂが形成されており、この凹部１１ｂに、前記釘１２の頭部１２ｂが嵌合されるようになっている。
【００１２】
これにより前記釘１２の軸部１２ａを釘側当接面１１ａに密接させる際、釘１２の頭部１２ａが邪魔にならないようになっている。また、可動部材本体９とレバー部１０との境界部分に、この場合左側に位置して突部１３が形成されている。この突部１３の上部には、断面Ｖ字状の凹部が形成されており、この凹部の最下部の目盛り読取線１４により、上記目盛り８を読み取るように構成されている。尚、本実施例においては、目盛り８は、遊技盤側当接面７に対して釘側当接面１１ａが垂直であることを示す「０」を中心に、左右両側にそれぞれ１５個の目盛り８が設けられている。
【００１３】
さて、図１に示すように、レバー部１０を操作して、遊技盤の盤面Ｐに突設された釘１２の軸部１２ａに可動部材３の釘側当接面１１ａを密接させると共に、固定部材１の遊技盤側当接面７を盤面Ｐに密接させる。この状態において目盛り読取線１４の位置する目盛り８を読み取ることにより、釘側当接面１１ａと遊技盤側当接面７との間の角度、すなわち盤面Ｐに対する釘１２の角度を読み取ることができる。このとき、目盛り８は１度置きに設けられているので、盤面Ｐに対する釘１２の角度を１度単位で正確に測定することが可能である。また、可動部材３が固定部材１に回動可能に軸支されているので、盤面Ｐに異なる角度で突設された釘１２の角度を測定することができる。
【００１４】
図３は、本発明の第２実施例を示しており、上記第１実施例と異なる点は、可動部材３に代わる可動部材２１が棒状の可動部材本体２２から構成されていることである。この場合、可動部材本体２２のうち、固定部材１の円弧状面４ｂより上方に位置する上端部に断面Ｖ字状の凹部２２ａが形成されている。この凹部２２ａには、断面三角形状の棒状部材２３が嵌合固着されている。この棒状部材２３は、両固定部材１の円弧状面４ｂの上方に張り出すように設けられており、該棒状部材２３の下方に位置する頂部２３ａにより目盛り８を読み取るようになっている。従って、この場合も上記した第１実施例と同様の作用効果が得られ、さらに、可動部材２１の形状を簡単にすることができる。
【００１５】
図４は、本発明の第３実施例を示している。本実施例の釘角度測定治具は、細長形状をなす治具本体３１から構成されている。この治具本体３１は、例えば厚さが約２ｍｍで幅が約７〜１０ｍｍ程度になるように形成されている。そして、治具本体３１の一端部である下端部の端面が、遊技盤の盤面に密接する遊技盤側当接面３２となっている。また、治具本体３１の図示左右両側に位置する両側辺部３３，３４の下部には、遊技盤に突設された釘の軸部に密接させる釘側当接面３３ａ，３４ａが設けられている。
【００１６】
この両釘側当接面３３ａ，３４ａは平行となるように形成され、この場合、図示左側の釘側当接面３３ａは、前記遊技盤側当接面３２に対して（９０−θ）°の角度をなし、図示右側の側辺部に設けられた釘側当接面３４ａは、前記遊技盤側当接面３２に対して（９０＋θ）°の角度をなすように傾けられている。そして、本実施例においては、θを０°から２１°までの範囲で１°置きに変えることにより、２２枚の釘角度測定治具を形成して備える構成となっている。図４には、θ＝１０°のものを示している。ここで、各治具本体３１の側面には、θの°を表す数字（この場合、「１０」）を印刷などにより設けている。また、釘側当接面３３ａ，３４ａの上端部には、釘の頭部が嵌合する凹部３３ｂ，３４ｂが形成されている。
【００１７】
次に、上記釘角度測定治具により遊技盤の盤面に突設された釘の角度を測定する作業について説明する。この場合、２２枚の釘角度測定治具の中から適当な１枚を選び、この釘角度測定治具の遊技盤側当接面３２を盤面に当接させると共に、、釘側当接面３３ａまたは３４ａの一方を釘の軸部に当接させる。このとき、両当接面３２，３３ａ（３４ａ）が密接しなければ別の釘角度測定治具に取換えて同じ当接作業を繰り返す。そして、両当接面３２，３３ａ（３４ａ）が密接した釘角度測定治具により釘の角度を測定できる。尚、密接する釘角度測定治具がないときは、最も密接状態に近い釘角度測定治具により釘の角度を測定する。従って、第３実施例においても第１実施例と同様に、遊技盤の盤面に対する釘の角度を測定することができる。特に、第３実施例の釘角度測定治具は、厚さが約２ｍｍ、幅が約７ないし１０ｍｍ程度の小さなものなので、測定対象の釘の周囲のスペースがかなり狭い場合にも容易に測定することができる。
【００１８】
図５は、本発明の第４実施例を示している。本実施例と上記した第３実施例との相違点は、治具本体４１の一方の側辺部４２にのみ釘側当接面４２ａが設けられ、他方の側辺部４３は盤面に対して垂直になっていることである。従って、例えばθ＝１０°に対しては、遊技盤側当接面４４と釘側当接面４２ａとの間の角度が、図５（ａ）に示す（９０−１０）°すなわち８０°と、図５（ｂ）に示す（９０＋１０）°すなわち１００°の２種類の治具本体を形成して備える必要がある。そして、この場合も、上記した第３実施例と同様の作用効果が得られる。
【００１９】
図６は、本発明の第５実施例を示しており、上記した第４実施例と異なる点は、治具本体５１の側面５１ａのうちの釘側当接面５２側の端辺に、横に延びる延設部５３を設けている点である。この結果、遊技盤側当接面５４がＬ字形となるため、当該当接面５４を遊技盤の盤面に密接させたときの安定性（盤面に垂直に立てるときの立て易さ）が良い。また、釘側当接面５２が広くなるため、釘の軸部に密接させ易い。そして、遊技盤側当接面５４のうち延設部５３部分は当該延設部５３の厚さしかないので、測定対象の釘の周囲のスペースが狭い場合でもこの釘角度測定治具により測定することができる。
【００２０】
尚、上記第５実施例の延設部５３は、第３実施例の釘角度測定治具にも適用でき、この場合、左右両側の釘側当接面３３ａ，３３ｂに設けても良く、或いはどちらか一方に設けても良い。
【００２１】
図７は、本発明の第６実施例を示しており、上記した第４実施例と異なる点は、釘角度測定治具が、治具本体６１と、この治具本体６１の下端部に着脱可能な台座６２とから構成されている点である。この場合、治具本体６１の厚さＨ方向に対向する両側面部６３，６３の下端部に、遊技盤側当接面６４と平行な溝６５，６５が設けられている。一方、台座６２には、略中央部分に治具本体６１の厚さＨより若干大きい幅の溝６６が設けられており、この溝６６の両内側面６６ａ，６６ａに、前記治具本体６１の溝６５に嵌合する突条部６７が形成されている。そして、台座６２の突条部６７に治具本体６１の溝６５を嵌合させながら当該治具本体６１を台座６２の溝６６に嵌め込むことにより台座６２に固定される。このとき、治具本体６１の遊技盤側当接面６４と台座６２の底面とは平行になる。
【００２２】
従って、釘の角度を測定する際には、治具本体６１の底面である遊技盤側当接面６４の代わりに台座６２の底面を遊技盤の盤面に密接させると共に、治具本体６１の釘側当接面６８を釘の軸部に密接させることにより、安定して釘の角度を測定することができる。また、台座６２を取外すことにより治具本体６１のみになるので、第４実施例同様、測定対象である釘の周囲の面積が狭い場合にも用いることができる。
【００２３】
尚、上記第６実施例は、第３実施例の釘角度測定治具にも適用できる。
また、本発明は上記し且つ図面に示した実施例にのみ限定されるものではなく、例えば固定部材は１枚の板状部材から構成されていても良く、或いは、釘側当接面を釘の頭部および盤面側端部に当接させて当該釘の角度を測定するようにしても良い等の変更が可能である。
【００２４】
【発明の効果】
本発明は、以上の説明から明らかなように次の効果を奏する。
【００２５】
固定部材の遊技盤側当接面を盤面に密接させると共に、可動部材の釘側当接面を、盤面に突設された釘に密接させて目盛りを読み取ることにより前記釘の角度を容易に測定することができ、しかも可動部材は回動可能であるため、盤面に異なる角度で突設された釘の角度を自由に測定することができる。
【図面の簡単な説明】
【図１】本発明の第１実施例を示す正面図
【図２】斜視図
【図３】本発明の第２実施例を示す図１相当図
【図４】本発明の第３実施例を示す図１相当図
【図５】本発明の第４実施例を示す図１相当図
【図６】本発明の第５実施例を示す図２相当図
【図７】本発明の第６実施例を示す分解斜視図
【符号の説明】
１は固定部材、３は可動部材、７，３２，４４，５４，６４は遊技盤側当接面、８は目盛り、１１，３３，３４，４２，４４は側辺部、１１ａ，３３ａ，３４ａ，４２ａ，５２，６８は釘側当接面、１１ｂ，３３ｂ，３４ｂは凹部、１２は釘、１２ａは軸部、１２ｂは頭部、３１，４１，５１，６１は治具本体、Ｐは盤面を示す。
【図１】
0003965604.tif 000002
【図２】
0003965604.tif 000003
【図３】
0003965604.tif 000004
【図４】
0003965604.tif 000005
【図５】
0003965604.tif 000006
【図６】
0003965604.tif 000007
【図７】
0003965604.tif 000008